(57)【要約】【課題】リンクチャネル割当送信時に発生する送信待ち時間を短縮させて基地局の応答レスポンスを早めること。【解決手段】基地局２００に、スーパーフレーム構成に従い所定間隔で論理制御チャネルを送信する送信制御部２３２と、ＰＳ１００からリンクチャネル確立要求（ＳＣＣＨ）を受信したことをメモリ２４０に記憶しておくＳＣＣＨ受信制御部２３４と、ＢＣＣＨ／ＰＣＨ／ＳＣＣＨを送信する際にリンクチャネル確立要求を受信しているかを確認する確認部２３６とを設け、送信制御部２３２はＢＣＣＨ／ＰＣＨを送信するタイミングの時にスチールしてリンクチャネル割当（ＳＣＣＨ）を送信する。【選択図】　図２
2004096145.tif 000002
【特許請求の範囲】
【請求項１】
ＰＨＳ通話を行うＰＨＳ端末機器と、エリア内に位置する前記ＰＨＳ端末機器との通信を行うＰＨＳ基地局と、このＰＨＳ基地局と接続し当該ＰＨＳ基地局を管理制御するセンターとから成るＰＨＳネットワークに於いて、
前記ＰＨＳ基地局は、
報知チャネル、一斉呼び出しチャネルおよび個別セル用チャネルを所定の順序で周期的に繰り返す論理制御チャネル情報を送信する送信制御手段と、
前記ＰＨＳ端末機器からのリンクチャネル確立要求情報を受信し当該情報を記憶する受信制御手段と、
前記論理制御チャネル情報を送信する場合に前記受信制御手段が前記リンクチャネル確立要求情報を受信しているかを確認する確認手段とを備え、
前記送信制御手段は、前記リンクチャネル確立要求情報を受信していることを確認した場合、前記報知チャネル情報あるいは前記一斉呼出チャネル情報を送信するタイミングにおいて、これらの情報に代えて前記個別セル用チャネル情報を送信することを特徴とするＰＨＳネットワークに於ける端末機器接続制御システム。
【請求項２】
前記論理制御チャネル情報に包含される報知チャネル情報あるいは一斉呼出チャネル情報を利用し、最も早期に出現するチャネル情報を前記個別セル用チャネル情報により置換するよう構成したことを特徴とする請求項１記載のＰＨＳネットワークに於ける端末機器接続制御システム。
【請求項３】
ＰＨＳ通話を行うＰＨＳ端末機器と、エリア内に位置する前記ＰＨＳ端末機器との通信を行うＰＨＳ基地局と、このＰＨＳ基地局と接続し当該ＰＨＳ基地局を管理制御するセンターとから成るＰＨＳネットワークシステムに於いて、
前記ＰＨＳ基地局は、
報知チャネル、一斉呼び出しチャネルおよび個別セル用チャネルを所定の順序で周期的に繰り返す論理制御チャネル情報を送信し、
前記ＰＨＳ端末機器からのリンクチャネル確立要求情報を受信し当該情報を記憶し、
前記論理制御チャネル情報を送信する場合に前記受信制御手段が前記リンクチャネル確立要求情報を受信しているかを確認するし、
前記リンクチャネル確立要求情報を受信していることを確認した場合、前記報知チャネル情報あるいは前記一斉呼出チャネル情報を送信するタイミングにおいて、これらの情報に代えて前記個別セル用チャネル情報を送信することを特徴とするＰＨＳネットワークに於ける端末機器接続制御方法。
【請求項４】
前記論理制御チャネル情報に包含される報知チャネル情報あるいは一斉呼出チャネル情報を利用し、最も早期に出現するチャネル情報を前記個別セル用チャネル情報により置換するよう構成したことを特徴とする請求項３記載のＰＨＳネットワークに於ける端末機器接続制御方法。
【請求項５】
エリア内に位置するＰＨＳ通話機能を有するＰＨＳ端末機器を接続するＰＨＳ基地局に備えられる装置であって、
このＰＨＳ基地局は、
報知チャネル、一斉呼び出しチャネルおよび個別セル用チャネルを所定の順序で周期的に繰り返す論理制御チャネル情報を送信する送信制御手段と、
前記ＰＨＳ端末機器からのリンクチャネル確立要求情報を受信し当該情報を記憶する受信制御手段と、
前記論理制御チャネル情報を送信する場合に前記受信制御手段が前記リンクチャネル確立要求情報を受信しているかを確認する確認手段とを備え、
前記送信制御手段は、前記リンクチャネル確立要求情報を受信していることを確認した場合、前記報知チャネル情報あるいは前記一斉呼出チャネル情報を送信するタイミングにおいて、これらの情報に代えて前記個別セル用チャネル情報を送信することを特徴とするＰＨＳ基地局装置。
【請求項６】
前記論理制御チャネル情報に包含される報知チャネル情報あるいは一斉呼出チャネル情報を利用し、最も早期に出現するチャネル情報を前記個別セル用チャネル情報により置換するよう構成したことを特徴とする請求項５記載のＰＨＳ基地局装置。
【発明の詳細な説明】
【０００１】
【発明の属する技術分野】
本発明は、ＰＨＳネットワークシステムを構成する端末機器と基地局との接続方式の改善を図ったＰＨＳネットワークに於ける端末機器接続制御システム及びＰＨＳネットワークに於ける端末機器接続制御方法並びにＰＨＳ基地局装置に関する。
【０００２】
【従来の技術】
従来、ＰＨＳ移動局（以下、端末機器あるいはＰＳという。）と、この端末機器とＰＨＳ通信にて接続するＰＨＳ基地局と、この基地局を公衆網を介して接続し管理制御するセンターとから構成されるＰＨＳネットワークシステムが提供されている。このネットワークにあっては、基地局は端末機器から発呼の為の通話チャネル割当の要求（リンクチャネル確立要求：ＳＣＣＨ）を受信すると、基地局側で通話チャネルの割当を行い、リンクチャネル割当（ＳＣＣＨ）情報を端末機器に送信していた。この送信に際しては、送信されるリンクチャネル割当（ＳＣＣＨ）情報は、予め定められたスーパーフレーム構成で定義されたタイミングでしか送信できないものであった。すなわち、基地局では報知チャネル（ＢＣＣＨ）、一斉呼び出しチャネル（ＰＣＨ）および個別セル用チャネル（ＳＣＣＨ）を所定の順序で周期的に繰り返し送信するが、このような論理制御チャネル構成をスーパーフレーム構成と呼んでいる。従って、このようなスーパーフレーム構成からなる論理制御チャネルにより端末機器を接続制御する場合、図５に示すように、報知チャネル（ＢＣＣＨ）や一斉呼出チャネル（ＰＣＨ）送信のタイミングにリンクチャネル確立要求（ＳＣＣＨ）を受信し、リンクチャネル割当（ＳＣＣＨ）を送信しようとすると、次のＳＣＣＨを送信可能なタイミングまで待たなければならず、最大で１００ｍｓ×８程度のリンクチャネル割当（ＳＣＣＨ）送信に対する待ち時間が発生してしまうものであった。
【０００３】
【発明が解決しようとする課題】
上述したように従来のＰＨＳネットワークシステムでは、スーパーフレーム構成による接続に対する待ち時間が発生してしまうものであった。この為、端末機器からのリンクチャネル確立要求（ＳＣＣＨ）に対し、基地局のリンクチャネル割当（ＳＣＣＨ）応答のレスポンスが遅くなるという不具合があった。
【０００４】
そこで、本発明は前記事情を考慮して成されたもので、前記不具合を解消し、リンクチャネル割当送信時に発生する送信待ち時間を短縮させて基地局の応答レスポンスを早めることを可能としたＰＨＳネットワークに於ける端末機器接続制御システム及びＰＨＳネットワークに於ける端末機器接続制御方法並びにＰＨＳ基地局装置を提供することを目的とする。
【０００５】
【課題を解決するための手段】
本発明は前記目的を達成する為、スーパーフレーム構成に従い所定間隔で論理制御チャネル（ＬＣＣＨ）を送信する手段と、端末機器からリンクチャネル確立要求（ＳＣＣＨ）を受信したことを記憶しておく手段と、ＢＣＣＨ／ＰＣＨ／ＳＣＣＨを送信する際にリンクチャネル確立要求を受信しているかを確認する手段と、ＢＣＣＨ／ＰＣＨを送信するタイミングにこれらの情報に代えて（スチールして）個別セル用チャネル（ＳＣＣＨ）情報、すなわち、リンクチャネル割当情報を送信する手段とを設けた構成とした。
【０００６】
斯様な構成によれば、接続時のリンクチャネル割当（ＳＣＣＨ）送信に於いて、ＢＣＣＨ／ＰＣＨの送信タイミングにリンクチャネル確立要求（ＳＣＣＨ）を受信しても、そのタイミングにて送信されるＢＣＣＨ／ＰＣＨをスチールすることで、即時にリンクチャネル割当（ＳＣＣＨ）の送信を可能とし、次のＳＣＣＨ送信タイミングまで待つ必要がなくなり、接続時間の短縮を図れる。
【０００７】
【発明の実施の形態】
以下、本発明の一実施形態を図を参照して説明する。
【０００８】
図１は、本実施形態のＰＨＳネットワークシステムの全体構成を概略的に示す図である。本ネットワークシステムは、ＰＨＳ移動局（端末機器：ＰＳ）１００と、このＰＳ１００と無線接続する基地局２００、この基地局２００と公衆網を３００介して接続し基地局２００を管理制御するするセンター４００とから構成されるものである。
【０００９】
ここで、ＰＳ１００はＰＨＳ無線通信を行うＰＨＳ端末機器としての機能を有するものであり、基地局２００は所定エリア内のＰＳ１００とのＰＨＳ無線通信並びにセンター４００との所定の通信を行う機能を有するものである。そして、ＰＳ１００よりリンクチャネル確立要求（ＳＣＣＨ）を受信すると、通信用チャネルを選択しＰＳ１００に対してリンクチャネル割当（ＳＣＣＨ）の送信を行うよう構成されている。
【００１０】
基地局２００は、図２に示すように、ＰＳ１００との無線通信を行う為のアンテナ２１０と、このアンテナ２１０と接続しＰＳ１００との通信を司る無線ユニット２２０と、基地局２００全体の制御を司りマイクロコンピュータ等から成る制御部２３０と、この制御部２３０が参照する各種制御プログラムや各種データを格納するメモリ２４０とを内設する。而して、制御部２３０は、ＬＣＣＨ送信制御部２３２とＳＣＣＨ受信制御部２３４、確認部２４６、ＳＣＣＨ送信制御部２４８とから構成され、ＬＣＣＨ送信制御部２３２はスーパーフレーム構成に従い１００ｍｓ間隔で論理制御チャネル（ＬＣＣＨ）を送信する機能を有し、当該ＬＣＣＨを無線ユニット２２０及びアンテナ２１０を介して送信するものである。又、ＳＣＣＨ受信制御部２３４は、アンテナ２１０及び無線ユニット２２０を介して受信したＰＳ１００からのリンクチャネル確立要求（ＳＣＣＨ）をメモリ２４０に記憶させておく機能を有するものである。更に、確認部２３６は、ＢＣＣＨ（報知チャネル）／ＰＣＨ（一斉呼出チャネル）／ＳＣＣＨ（リンクチャネル割当）の送信の際にメモリ２４０を参照しリンクチャネル確立要求（ＳＣＣＨ）を受信しているかどうか確認する機能、即ちアンテナ２１０及び無線ユニット２２０を介して論理制御チャネル（ＬＣＣＨ）を送信する際にメモリ２４０を参照してＰＳ１００からリンクチャネル確立要求を受信しているかの確認を行う機能を有するものである。そして、ＳＣＣＨ送信制御部２３２は、ＢＣＣＨ／ＰＣＨを送信するタイミングの際にスチールしてリンクチャネル割当（ＳＣＣＨ）を送信する機能、即ち、無線ユニット２２０及びアンテナ２１０介してＳＣＣＨを送信する際に、確認部２３６にてリンクチャネル確立要求の受信が確認されており、且つＢＣＣＨ／ＰＣＨの送信タイミングである場合に送信することになっているＢＣＣＨ／ＰＣＨをスチールし、代わりにリンクチャネル割当（ＳＣＣＨ）の送信を行う機能を有するものである。尚、基地局２００の論理制御チャネル（ＬＣＣＨ）は、ＰＳ１００からの発呼待ち状態に於いて、基地局２００から送信される電波信号で各チャネル毎に同期状態、同期信号等から成っているものである。又、通話がない待機状態にあっても、このチャネル情報を常に発信しているものでもある。
【００１１】
図３にアンテナ２１０及び無線ユニット２２０にて１００ｍｓ間隔で送信されている論理制御チャネルを構成するスーパーフレーム構成を示す。図中、左側部分に示すものは既存のスーパーフレーム構成であり、右側部分に示すものは本実施形態でのスーパーフレーム構成である。本図によれば、例えばＡのタイミングにてリンクチャネル確立要求（ＳＣＣＨ）を受信した場合、既存の方法ではＢのタイミングにてリンクチャネル割当（ＳＣＣＨ）を送信することになる。しかしながら、本実施形態では、ａのタイミングにて受信したリンクチャネル確立要求（ＳＣＣＨ）に対し、ｂのタイミングでリンクチャネル割当を送信可能となるものである。このように、図３に示す通り本実施形態では、どのタイミングでもＳＣＣＨの送信が可能となることを示すスーパーフレーム構成となる。
【００１２】
前記構成につき、その動作・作用を図４に示すフローチャートを参照して説明する。
【００１３】
先ず、現在、リンクチャネル確立要求（ＳＣＣＨ）をアンテナ２１０及び無線ユニット２２０を介して受信したか否かの判断が成される（ステップＳ４０２）。リンクチャネル確立要求（ＳＣＣＨ）が受信されていれば（ステップＳ４０２のＹＥＳ）、リンクチャネル確立要求（ＳＣＣＨ）受信済みとしてメモリ２４０に記憶する（ステップＳ４０４）。そして、１００ｍｓ毎のカウントを行い（ステップＳ４０６）、ＬＣＣＨ送信制御部２３２によりＬＣＣＨの送信が行われる。而して、送信されるＬＣＣＨのタイミングがＢＣＣＨであるかの判断が行われる（ステップＳ４０８）。
【００１４】
次に、リンクチャネル確立要求（ＳＣＣＨ）が受信済みであるかの判断が確認部２３６にて成され（ステップＳ４１０）、受信済みであれば（ステップＳ４１０のＹＥＳ）、ＢＣＣＨをスチールし（ステップＳ４１２）、ＳＣＣＨ送信制御部２３８にてリンクチャネル割当（ＳＣＣＨ）を送信する（ステップＳ４１４）。リンクチャネル確立要求（ＳＣＣＨ）が未受信の場合は（ステップＳ４１０のＮＯ）、そのままＢＣＣＨの送信処理を行い（ステップＳ４１６）、ステップＳ４０２へ移行することになる。
【００１５】
尚、ステップＳ４０８にて送信されるＬＣＣＨのタイミングがＢＣＣＨではない場合は（ステップＳ４０８のＮＯ）、ＬＣＣＨのタイミングがＰＣＨであるか否かの判断が行われる（ステップＳ４１８）。ＰＣＨ送信タイミングであれば（ステップＳ４１８のＹＥＳ）、確認部２３６にてリンクチャネル確立要求（ＳＣＣＨ）が受信済みであるかの判断が成される（ステップＳ４２０）。判断の結果、リンクチャネル確立要求（ＳＣＣＨ）が受信済みであれば（ステップＳ４２０のＹＥＳ）、ＰＣＨのスチール処理が行われ（ステップＳ４２２）、ＳＣＣＨ送信制御部２３８にてリンクチャネル割当（ＳＣＣＨ）の送信が行われる（ステップＳ４２４）。
【００１６】
もし、ステップＳ４２０の判断処理で、リンクチャネル確立要求（ＳＣＣＨ）が未受信の場合は（ステップＳ４２０のＮＯ）、そのままＰＣＨの送信処理を行い（ステップＳ４２６）、ステップＳ４０２の処理へ移行することになる。又、ステップＳ４１８の判断処理でＰＣＨ送信タイミングではない場合は（ステップＳ４１８のＮＯ）、ＳＣＣＨ送信タイミングであるか否かの判断が行われ（ステップＳ４２８）、ＳＣＣＨ送信タイミングであれば（ステップＳ４２８のＹＥＳ）、ステップＳ４２４の処理に移行してリンクチャネル割当（ＳＣＣＨ）を送信する。ＳＣＣＨ送信タイミングでなければ（ステップＳ４２８のＮＯ）、ステップＳ４０２の処理へ移行することになる。
【００１７】
上述したように本実施形態によれば、接続時のリンクチャネル割当（ＳＣＣＨ）送信に於いて、ＢＣＣＨ／ＰＣＨの送信タイミングにリンクチャネル確立要求（ＳＣＣＨ）を受信しても、そのタイミングにて送信されるＢＣＣＨ／ＰＣＨをスチールすることにより、直ぐにリンクチャネル割当（ＳＣＣＨ）の送信を可能となるものである。従って、従来のように次のＳＣＣＨ送信タイミングまで待機する必要がなくなり、接続時間の短縮を図ることができるものである。
【００１８】
しかも本実施形態では、スーパーフレーム構成に含まれる他のチャネルＢＣＣＨ、ＰＣＨを利用して最も早く現れるチャネルをＳＣＣＨに置換して送信するよう構成してあるので、応答レスポンスの向上を図れるものである。又、ＢＣＣＨ、ＰＣＨ等は、同期信号等の為、その一つを他の信号送信に置換してもあまり影響を受けることがないものである。
【００１９】
【発明の効果】
以上詳記したように本発明によれば、リンクチャネル割当送信時に発生する送信待ち時間を短縮させて基地局の応答レスポンスを早めることできるという優れた効果を奏するものである。
【図面の簡単な説明】
【図１】本発明の一実施形態に係るＰＨＳネットワークシステムの全体構成を概略的に示す図。
【図２】同実施形態に係り、基地局の構成を示す図。
【図３】同実施形態に係るスーパーフレーム構成を示す図。
【図４】同実施形態に係わる動作・作用の処理の流れを示すフローチャート。
【図５】従来のスーパーフレーム構成を示す図。
【符号の説明】
１００…ＰＳ（端末機器）、２００…基地局、２２０…無線ユニット、２３０…制御部、２３２…ＬＣＣＨ送信制御部、２３４…ＳＣＣＨ受信制御部、２３６…確認部、２４０…メモリ。
【図１】
2004096145.tif 000003
【図２】
2004096145.tif 000004
【図３】
2004096145.tif 000005
【図４】
2004096145.tif 000006
【図５】
2004096145.tif 000007